(57)【要約】【課題】グループ印刷ジョブに対する操作を受け付けた場合に、そのグループ印刷ジョブに対する操作に応じた指示を、印刷ジョブにしたがって印刷処理を行っている画像形成装置に対して行うことができる情報処理装置を提供する。【解決手段】情報処理装置の受付手段は、複数の印刷ジョブによって構成されているグループ印刷ジョブに対する操作を受け付け、指示手段は、前記操作に応じて、前記印刷ジョブにしたがって印刷処理を行っている画像形成装置に対する指示を行う。【選択図】図１
2019096172.tif 000002
【特許請求の範囲】
【請求項１】
複数の印刷ジョブによって構成されているグループ印刷ジョブに対する操作を受け付ける受付手段と、
前記操作に応じて、前記印刷ジョブにしたがって印刷処理を行っている画像形成装置に対する指示を行う指示手段
を有する情報処理装置。
【請求項２】
前記指示手段は、前記グループ印刷ジョブに対する操作として、印刷再開を受け付けた場合は、該グループ印刷ジョブ内の印刷保留となっている印刷ジョブに対応する前記画像形成装置に対して印刷再開の指示を行う、
請求項１に記載の情報処理装置。
【請求項３】
前記指示手段は、印刷保留となっている印刷ジョブのうち、前記グループ印刷ジョブ内の順番にしたがって、前記画像形成装置に対して印刷再開の指示を行う、
請求項２に記載の情報処理装置。
【請求項４】
前記指示手段は、前記グループ印刷ジョブに対する操作として、一時停止を受け付けた場合は、該グループ印刷ジョブ内の印刷中となっている印刷ジョブに対応する前記画像形成装置に対して一時停止の指示を行う、
請求項１に記載の情報処理装置。
【請求項５】
前記指示手段は、印刷中となっている印刷ジョブのうち、前記グループ印刷ジョブ内の順番とは逆順になるように、前記画像形成装置に対して一時停止の指示を行う、
請求項４に記載の情報処理装置。
【請求項６】
前記指示手段は、前記グループ印刷ジョブに対する操作として、キャンセルを受け付けた場合は、該グループ印刷ジョブ内の印刷保留又は印刷中となっている印刷ジョブに対応する前記画像形成装置に対してキャンセルの指示を行う、
請求項１に記載の情報処理装置。
【請求項７】
前記指示手段は、印刷保留又は印刷中となっている印刷ジョブのうち、前記グループ印刷ジョブ内の順番とは逆順になるように、前記画像形成装置に対してキャンセルの指示を行う、
請求項６に記載の情報処理装置。
【請求項８】
前記指示手段は、前記グループ印刷ジョブに対する操作として、試し刷りを受け付けた場合は、該グループ印刷ジョブ内の印刷保留となっている印刷ジョブに対応する前記画像形成装置に対して試し刷りの指示を行う、
請求項１に記載の情報処理装置。
【請求項９】
前記指示手段は、印刷保留となっている印刷ジョブのうち、前記グループ印刷ジョブ内の順番にしたがって、前記画像形成装置に対して試し刷りの指示を行う、
請求項８に記載の情報処理装置。
【請求項１０】
前記指示手段は、前記グループ印刷ジョブに対する操作として、優先印刷を受け付けた場合は、該グループ印刷ジョブ内の印刷保留となっている印刷ジョブに対応する前記画像形成装置に対して優先印刷の指示を行う、
請求項１に記載の情報処理装置。
【請求項１１】
前記指示手段は、印刷保留となっている印刷ジョブのうち、前記グループ印刷ジョブ内の順番にしたがって、前記画像形成装置に対して優先印刷の指示を行う、
請求項１０に記載の情報処理装置。
【請求項１２】
前記指示手段は、前記グループ印刷ジョブに対する操作として、割り込み印刷を受け付けた場合は、該グループ印刷ジョブ内の印刷保留となっている印刷ジョブに対応する前記画像形成装置に対して割り込み印刷の指示を行う、
請求項１に記載の情報処理装置。
【請求項１３】
前記指示手段は、印刷保留となっている印刷ジョブのうち、前記グループ印刷ジョブ内の順番とは逆順になるように、前記画像形成装置に対して割り込み印刷の指示を行う、
請求項１２に記載の情報処理装置。
【請求項１４】
コンピュータを、
複数の印刷ジョブによって構成されているグループ印刷ジョブに対する操作を受け付ける受付手段と、
前記操作に応じて、前記印刷ジョブにしたがって印刷処理を行っている画像形成装置に対する指示を行う指示手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、複数の印刷ジョブを結合して１つの結合ジョブを作成して、不具合のない印刷結果をユーザーに提供することを課題とし、複数の印刷ジョブを１つの結合ジョブにする結合指示がなされた場合に、複数の印刷ジョブの印刷設定情報を解析し、１つの印刷ジョブに対して１つしか設定できない情報を統一した結合ジョブ用の印刷設定情報を生成する手段を有することにより解決することが開示されている。
【０００３】
特許文献２には、複数の印刷ジョブに分けて投入せずとも、一回の印刷指示で、グループ毎に部数、印刷範囲、その他、印刷設定を指定可能とすることを課題とし、受信手段が、第１印刷ジョブを受信した場合、表示手段は、解析手段の第１印刷ジョブに対応する第１ジョブ属性の解析の結果に応じて、各画面に含まれる設定項目を決定し、受信手段が、第１印刷ジョブとは異なる第２印刷ジョブを受信した場合、表示手段は、解析手段の第２印刷ジョブに対応する第２ジョブ属性の解析の結果に応じて、各画面に含まれる設定項目として第１印刷ジョブとは異なる設定項目を決定することによって課題を解決することが開示されている。
【０００４】
特許文献３には、ジョブ処理装置における処理対象の同一グループ内の複数のジョブ間にグループ外の他のジョブが割り込むことを防ぐと共に、同一グループ内の複数のジョブ毎に管理することを可能にすることを課題とし、ジョブ処理装置は、グループを識別するグループ識別情報を含んだジョブの実行指示を受信すると、前記グループ識別情報によって識別されるグループに属する複数のジョブを、当該複数のジョブの間に他のグループに属するジョブが割り込まないように連続して処理し、そして、処理された複数のジョブをそれぞれ別のジョブとして管理することが開示されている。
【０００５】
特許文献４には、プリントサーバがない環境や、プリンタードライバやプリンターデバイスでジョブグルーピング機能が実装されていないプリントシステム環境でも、印刷ジョブのグルーピング機能を簡易な構成で実現可能とすることを課題とし、情報処理装置と画像形成装置とで構成される印刷システムにおける情報処理装置の印刷ジョブの転送制御方法は、アプリケーションデータに基づく印刷ジョブを複数受け取り、これら受け取った複数の印刷ジョブ（プリントジョブ）をグルーピングして、グループジョブとして管理し、そして、複数の印刷ジョブのスプールが完了した後に、所定の印刷プロトコルを用いて１つのセッションで該複数の印刷ジョブ（プリントジョブデータ）を画像形成装置へ転送するように制御することが開示されている。
【０００６】
特許文献５には、簡単な構成で複数の印刷ジョブをグルーピングすることを課題とし、コンピュータにおいて、複数のプリントジョブデータをグルーピングし、グループジョブとして管理し、そのグループジョブを所定の印刷プロトコルにおける１つのセッションでプリンターデバイスへ転送するように制御することが開示されている。
【先行技術文献】
【特許文献】
【０００７】
【特許文献１】特開２００１−１３４３９４号公報
【特許文献２】特開２０１３−１５６９１８号公報
【特許文献３】特開２０１３−０１４０２１号公報
【特許文献４】特開２００６−００４０７７号公報
【特許文献５】特開２００５−１７４１２２号公報
【発明の概要】
【発明が解決しようとする課題】
【０００８】
例えば、画像形成装置に印刷用紙としてセットされたカット紙やロール紙等の交換作業を減少させて、画像形成装置のロスタイムを軽減させるために、同一の印刷用紙を用いる複数の印刷ジョブによって構成されているグループ印刷ジョブにしたがって印刷を行わせることがある。
しかし、画像形成装置は、グループ印刷ジョブ単位で操作できる機能を有しておらず、結局は、印刷ジョブを１つ１つ操作することになる。
本発明は、グループ印刷ジョブに対する操作を受け付けた場合に、そのグループ印刷ジョブに対する操作に応じた指示を、印刷ジョブにしたがって印刷処理を行っている画像形成装置に対して行うことができる情報処理装置及び情報処理プログラムを提供することを目的としている。
【課題を解決するための手段】
【０００９】
かかる目的を達成するための本発明の要旨とするところは、次の各項の発明に存する。
請求項１の発明は、複数の印刷ジョブによって構成されているグループ印刷ジョブに対する操作を受け付ける受付手段と、前記操作に応じて、前記印刷ジョブにしたがって印刷処理を行っている画像形成装置に対する指示を行う指示手段を有する情報処理装置である。
【００１０】
請求項２の発明は、前記指示手段は、前記グループ印刷ジョブに対する操作として、印刷再開を受け付けた場合は、該グループ印刷ジョブ内の印刷保留となっている印刷ジョブに対応する前記画像形成装置に対して印刷再開の指示を行う、請求項１に記載の情報処理装置である。
【００１１】
請求項３の発明は、前記指示手段は、印刷保留となっている印刷ジョブのうち、前記グループ印刷ジョブ内の順番にしたがって、前記画像形成装置に対して印刷再開の指示を行う、請求項２に記載の情報処理装置である。
【００１２】
請求項４の発明は、前記指示手段は、前記グループ印刷ジョブに対する操作として、一時停止を受け付けた場合は、該グループ印刷ジョブ内の印刷中となっている印刷ジョブに対応する前記画像形成装置に対して一時停止の指示を行う、請求項１に記載の情報処理装置である。
【００１３】
請求項５の発明は、前記指示手段は、印刷中となっている印刷ジョブのうち、前記グループ印刷ジョブ内の順番とは逆順になるように、前記画像形成装置に対して一時停止の指示を行う、請求項４に記載の情報処理装置である。
【００１４】
請求項６の発明は、前記指示手段は、前記グループ印刷ジョブに対する操作として、キャンセルを受け付けた場合は、該グループ印刷ジョブ内の印刷保留又は印刷中となっている印刷ジョブに対応する前記画像形成装置に対してキャンセルの指示を行う、請求項１に記載の情報処理装置である。
【００１５】
請求項７の発明は、前記指示手段は、印刷保留又は印刷中となっている印刷ジョブのうち、前記グループ印刷ジョブ内の順番とは逆順になるように、前記画像形成装置に対してキャンセルの指示を行う、請求項６に記載の情報処理装置である。
【００１６】
請求項８の発明は、前記指示手段は、前記グループ印刷ジョブに対する操作として、試し刷りを受け付けた場合は、該グループ印刷ジョブ内の印刷保留となっている印刷ジョブに対応する前記画像形成装置に対して試し刷りの指示を行う、請求項１に記載の情報処理装置である。
【００１７】
請求項９の発明は、前記指示手段は、印刷保留となっている印刷ジョブのうち、前記グループ印刷ジョブ内の順番にしたがって、前記画像形成装置に対して試し刷りの指示を行う、請求項８に記載の情報処理装置である。
【００１８】
請求項１０の発明は、前記指示手段は、前記グループ印刷ジョブに対する操作として、優先印刷を受け付けた場合は、該グループ印刷ジョブ内の印刷保留となっている印刷ジョブに対応する前記画像形成装置に対して優先印刷の指示を行う、請求項１に記載の情報処理装置である。
【００１９】
請求項１１の発明は、前記指示手段は、印刷保留となっている印刷ジョブのうち、前記グループ印刷ジョブ内の順番にしたがって、前記画像形成装置に対して優先印刷の指示を行う、請求項１０に記載の情報処理装置である。
【００２０】
請求項１２の発明は、前記指示手段は、前記グループ印刷ジョブに対する操作として、割り込み印刷を受け付けた場合は、該グループ印刷ジョブ内の印刷保留となっている印刷ジョブに対応する前記画像形成装置に対して割り込み印刷の指示を行う、請求項１に記載の情報処理装置である。
【００２１】
請求項１３の発明は、前記指示手段は、印刷保留となっている印刷ジョブのうち、前記グループ印刷ジョブ内の順番とは逆順になるように、前記画像形成装置に対して割り込み印刷の指示を行う、請求項１２に記載の情報処理装置である。
【００２２】
請求項１４の発明は、コンピュータを、複数の印刷ジョブによって構成されているグループ印刷ジョブに対する操作を受け付ける受付手段と、前記操作に応じて、前記印刷ジョブにしたがって印刷処理を行っている画像形成装置に対する指示を行う指示手段として機能させるための情報処理プログラムである。
【発明の効果】
【００２３】
請求項１の情報処理装置によれば、グループ印刷ジョブに対する操作を受け付けた場合に、そのグループ印刷ジョブに対する操作に応じた指示を、印刷ジョブにしたがって印刷処理を行っている画像形成装置に対して行うことができる。
【００２４】
請求項２の情報処理装置によれば、グループ印刷ジョブに対して印刷再開を受け付けた場合は、そのグループ印刷ジョブ内の印刷保留となっている印刷ジョブに対応する画像形成装置に対して印刷再開の指示を行うことができる。
【００２５】
請求項３の情報処理装置によれば、印刷保留となっている印刷ジョブのうち、グループ印刷ジョブ内の順番にしたがって、画像形成装置に対して印刷再開の指示を行うことができる。
【００２６】
請求項４の情報処理装置によれば、グループ印刷ジョブに対して一時停止を受け付けた場合は、そのグループ印刷ジョブ内の印刷中となっている印刷ジョブに対応する画像形成装置に対して一時停止の指示を行うことができる。
【００２７】
請求項５の情報処理装置によれば、印刷中となっている印刷ジョブのうち、グループ印刷ジョブ内の順番とは逆順になるように、画像形成装置に対して一時停止の指示を行うことができる。
【００２８】
請求項６の情報処理装置によれば、グループ印刷ジョブに対してキャンセルを受け付けた場合は、そのグループ印刷ジョブ内の印刷保留又は印刷中となっている印刷ジョブに対応する画像形成装置に対してキャンセルの指示を行うことができる。
【００２９】
請求項７の情報処理装置によれば、印刷保留又は印刷中となっている印刷ジョブのうち、グループ印刷ジョブ内の順番とは逆順になるように、画像形成装置に対してキャンセルの指示を行うことができる。
【００３０】
請求項８の情報処理装置によれば、グループ印刷ジョブに対して試し刷りを受け付けた場合は、そのグループ印刷ジョブ内の印刷保留となっている印刷ジョブに対応する画像形成装置に対して試し刷りの指示を行うことができる。
【００３１】
請求項９の情報処理装置によれば、印刷保留となっている印刷ジョブのうち、グループ印刷ジョブ内の順番にしたがって、画像形成装置に対して試し刷りの指示を行うことができる。
【００３２】
請求項１０の情報処理装置によれば、グループ印刷ジョブに対して優先印刷を受け付けた場合は、そのグループ印刷ジョブ内の印刷保留となっている印刷ジョブに対応する画像形成装置に対して優先印刷の指示を行うことができる。
【００３３】
請求項１１の情報処理装置によれば、印刷保留となっている印刷ジョブのうち、グループ印刷ジョブ内の順番にしたがって、画像形成装置に対して優先印刷の指示を行うことができる。
【００３４】
請求項１２の情報処理装置によれば、グループ印刷ジョブに対して割り込み印刷を受け付けた場合は、そのグループ印刷ジョブ内の印刷保留となっている印刷ジョブに対応する画像形成装置に対して割り込み印刷の指示を行うことができる。
【００３５】
請求項１３の情報処理装置によれば、印刷保留となっている印刷ジョブのうち、グループ印刷ジョブ内の順番とは逆順になるように、画像形成装置に対して割り込み印刷の指示を行うことができる。
【００３６】
請求項１４の情報処理プログラムによれば、グループ印刷ジョブに対する操作を受け付けた場合に、そのグループ印刷ジョブに対する操作に応じた指示を、印刷ジョブにしたがって印刷処理を行っている画像形成装置に対して行うことができる。
【図面の簡単な説明】
【００３７】
【図１】本実施の形態の構成例についての概念的なモジュール構成図である。
【図２】本実施の形態を利用したシステム構成例を示す説明図である。
【図３】本実施の形態の利用例を示す説明図である。
【図４】本実施の形態による画面の表示例を示す説明図である。
【図５】本実施の形態による処理例を示すフローチャートである。
【図６】グループ印刷ジョブテーブルのデータ構造例を示す説明図である。
【図７】グループ印刷ジョブテーブルのデータ構造例を示す説明図である。
【図８】印刷ジョブテーブルのデータ構造例を示す説明図である。
【図９】印刷装置テーブルのデータ構造例を示す説明図である。
【図１０】印刷ジョブ対応テーブルのデータ構造例を示す説明図である。
【図１１】印刷装置状況テーブルのデータ構造例を示す説明図である。
【図１２】操作方法テーブルのデータ構造例を示す説明図である。
【図１３】本実施の形態による処理例を示す説明図である。
【図１４】本実施の形態による処理例を示すフローチャートである。
【図１５】本実施の形態による画面の表示例を示す説明図である。
【図１６】本実施の形態を実現するコンピュータのハードウェア構成例を示すブロック図である。
【発明を実施するための形態】
【００３８】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００３９】
本実施の形態である情報処理装置１００は、印刷ジョブを受け付けて、その印刷ジョブに適した画像形成装置１５０（以下、印刷装置ともいう）を選択し、その画像形成装置１５０にその印刷ジョブを送信するものであって、図１の例に示すように、操作受付モジュール１０５、印刷ジョブ振分モジュール１１０、単独印刷ジョブ用指示モジュール１１５、画像形成装置状況検知モジュール１２０、グループ印刷ジョブ用指示モジュール１２５、画像形成装置通信モジュール１３０を有している。画像形成装置１５０は、その印刷ジョブにしたがって印刷処理を行う。
【００４０】
画像形成装置１５０として、例えば、プロダクションプリンターがある。プロダクションプリンターは、企業の社内印刷部門やプリントショップ等を対象として軽印刷を行うものである。一般的に、大量の印刷を担うものである。なお、プロダクションプリンターに限定することなく、一般的なプリンター（ビジネス用のプリンター、家庭用のプリンター等）に適用してもよい。
また、ここでの画像形成装置１５０は、複数の印刷ジョブによって構成されているグループ印刷ジョブに対しての操作の処理を行うことができず、単独の印刷ジョブに対しての処理ができるものである。つまり、画像形成装置１５０は、グループ印刷ジョブに対しての操作の処理を行うことができないので、情報処理装置１００でグループ印刷ジョブに対しての操作を受け付けた場合は、情報処理装置１００は、そのグループ印刷ジョブを構成する印刷ジョブに対しての処理に変換する必要がある。ここでの操作として、具体的には、印刷再開（印刷開始を含む概念である）、一時停止、キャンセル、試し刷り、優先印刷、割り込み印刷等がある。なお、試し刷りとは、印刷ジョブの設定（属性）が複数の部数となっていたとしても、１部だけ（又は先頭の１ページだけ等）の印刷を行うことである。また、優先印刷とは、既に決められた印刷順ではなく、優先的に印刷することである。具体的には、印刷中の印刷ジョブがないならば、すぐに優先印刷となっている印刷ジョブによる印刷処理を開始することであり、また、印刷中の印刷ジョブがあるならば、その印刷ジョブによる印刷が終了した後に、すぐに優先印刷となっている印刷ジョブによる印刷処理を開始することである。
【００４１】
なお、印刷処理そのものについては、情報処理装置１００がグループ印刷ジョブの印刷順にしたがって、グループ印刷ジョブ内の印刷ジョブを画像形成装置１５０に送信するように制御し、画像形成装置１５０では、その送信順に印刷ジョブにしたがった印刷処理を行うようにすれば、情報処理装置１００と画像形成装置１５０の組み合わせによってグループ印刷ジョブに対応可能となる。
【００４２】
ユーザーによる印刷ジョブの管理方法に合わせて、印刷ジョブのまとまりであるグループ印刷ジョブを作成する。このグループ印刷ジョブによって、例えば、以下のような運用を可能にする。
（１）顧客から注文のあった注文に関連する印刷ジョブを一まとめとして扱うことができる。
（２）スプーラーとしての機能を有する情報処理装置１００に蓄積した印刷ジョブを、印刷工程作業者の都合に合わせて、以下のように作業を効率的に実施できる単位にまとめて扱うことができる。
（ａ）出力用紙毎にまとめる。
（ｂ）必要な後処理が同じものをまとめる。
（ｃ）担当する作業者毎にまとめる。
（ｄ）作業日・作業時刻にあわせてまとめる。
複数あるプリンターを用いて、印刷ジョブを効率的に印刷する仕組みとして、印刷ジョブに対して優先プリンターを提示することでユーザー業務を簡素化する仕組みが提供されている。本実施の形態は、単独の印刷ジョブに加えて、一まとめとなったグループ印刷ジョブに対しても同様の機能を提供することで、ユーザー業務の簡素化・定型化を図り、さらに、印刷工程における負荷の低減という価値を提供する。
【００４３】
操作受付モジュール１０５は、印刷ジョブ振分モジュール１１０と接続されている。操作受付モジュール１０５は、印刷ジョブ、又は、複数の印刷ジョブによって構成されているグループ印刷ジョブに対しての操作を受け付ける。もちろんのことながら、グループ印刷ジョブに対しての操作だけを受け付けるようにしてもよい。
印刷ジョブ振分モジュール１１０は、操作受付モジュール１０５、単独印刷ジョブ用指示モジュール１１５、グループ印刷ジョブ用指示モジュール１２５と接続されている。印刷ジョブ振分モジュール１１０は、操作受付モジュール１０５が受け付けた操作は、単独の印刷ジョブに対しての操作であるか、グループ印刷ジョブに対しての操作であるかを判断し、単独の印刷ジョブに対しての操作であるならば、その印刷ジョブに対する操作を単独印刷ジョブ用指示モジュール１１５に渡し、グループ印刷ジョブに対しての操作であるならば、そのグループ印刷ジョブに対する操作をグループ印刷ジョブ用指示モジュール１２５に渡す。例えば、操作受付モジュール１０５が受け付けた操作の対象である印刷ジョブ内にある、グループ印刷ジョブであるか否かを示す識別子等によって判断してもよいし、その操作の対象である印刷ジョブが複数の印刷ジョブを含んでいるか否かによって判断してもよい。
単独印刷ジョブ用指示モジュール１１５は、印刷ジョブ振分モジュール１１０、画像形成装置通信モジュール１３０と接続されている。単独印刷ジョブ用指示モジュール１１５は、印刷ジョブ振分モジュール１１０から渡された印刷ジョブに対する操作にしたがって、その印刷ジョブを送信した画像形成装置１５０に対して、画像形成装置通信モジュール１３０を介して、その操作を送信する。例えば、印刷ジョブに対して印刷再開の操作を受け付けた場合は、その印刷ジョブが送信された画像形成装置１５０に対して、印刷保留（印刷待機）となっている印刷ジョブの印刷再開の指示を送信する。
【００４４】
画像形成装置状況検知モジュール１２０は、グループ印刷ジョブ用指示モジュール１２５、画像形成装置通信モジュール１３０と接続されている。画像形成装置状況検知モジュール１２０は、画像形成装置通信モジュール１３０を介して、各画像形成装置１５０から、その画像形成装置１５０の状況を受け付ける。そして、その状況をグループ印刷ジョブ用指示モジュール１２５に渡す。
【００４５】
グループ印刷ジョブ用指示モジュール１２５は、印刷ジョブ振分モジュール１１０、画像形成装置状況検知モジュール１２０、画像形成装置通信モジュール１３０と接続されている。グループ印刷ジョブ用指示モジュール１２５は、操作受付モジュール１０５が受け付けた操作に応じて、その操作の対象である印刷ジョブにしたがって印刷処理を行っている画像形成装置１５０に対する指示を行う。これによって、グループ印刷ジョブに対する操作を受け付けた場合に、そのグループ印刷ジョブに対する操作に応じた指示を、印刷ジョブにしたがって印刷処理を行っている画像形成装置１５０に対して行うことができる。また、画像形成装置１５０のジョブグルーピング機能の有無に依存せず、グループ印刷ジョブに対する操作を汎用的な機能で実現でき、かつ従来技術と比較してネットワーク通信量の小さい操作指示情報の通信のみによってグループ印刷ジョブに対する操作を実現できるため、スループットが大幅に向上するという副次的効果が得られる。既存技術では、ジョブグルーピング機能を有していないグループ印刷ジョブを制御する手段として（特許文献４，５のように）印刷ジョブデータ（数メガ〜数ギガバイト程度のデータサイズ）を持つ印刷ジョブ自体の送信を制御することによって実現している。本実施の形態は、数百バイト〜数キロバイト程度のデータサイズである印刷指示情報の通信により、グループ印刷ジョブをより細かに制御でき、さらに、転送効率を向上させることができる。
グループ印刷ジョブ用指示モジュール１２５は、具体的には、その指示を画像形成装置通信モジュール１３０を介して、画像形成装置１５０に送信する。なお、「印刷処理を行っている画像形成装置１５０」とは、印刷保留となっている画像形成装置１５０を含む。つまり、印刷処理そのものをその時点で行っていることまでは必要としない。もちろんのことながら、印刷処理そのものをその時点で行っていることを必要としてもよい。
また、グループ印刷ジョブ用指示モジュール１２５は、画像形成装置状況検知モジュール１２０から画像形成装置１５０の状況を受け取って、その状況にしたがって、画像形成装置１５０に対する指示を行うようにしてもよい。例えば、画像形成装置１５０の状況として、印刷保留となっている印刷ジョブがあるか否か、印刷中となっている印刷ジョブがあるか否か、印刷保留又は印刷中となっている印刷ジョブがあるか否か等がある。
【００４６】
例えば、グループ印刷ジョブ用指示モジュール１２５は、グループ印刷ジョブに対する操作として、印刷再開を受け付けた場合は、そのグループ印刷ジョブ内の印刷保留となっている印刷ジョブに対応する画像形成装置１５０に対して印刷再開の指示を行うようにしてもよい。
さらに、グループ印刷ジョブ用指示モジュール１２５は、印刷保留となっている印刷ジョブのうち、グループ印刷ジョブ内の順番にしたがって、画像形成装置１５０に対して印刷再開の指示を行うようにしてもよい。ここで「グループ印刷ジョブ内の順番」とは、いわゆる正順であり、グループ印刷ジョブ内の印刷ジョブには順番があり、その順番通りに処理を行うことである。
【００４７】
例えば、グループ印刷ジョブ用指示モジュール１２５は、グループ印刷ジョブに対する操作として、一時停止を受け付けた場合は、そのグループ印刷ジョブ内の印刷中となっている印刷ジョブに対応する画像形成装置１５０に対して一時停止の指示を行う。
さらに、グループ印刷ジョブ用指示モジュール１２５は、印刷中となっている印刷ジョブのうち、グループ印刷ジョブ内の順番とは逆順になるように、画像形成装置１５０に対して一時停止の指示を行うようにしてもよい。
【００４８】
例えば、グループ印刷ジョブ用指示モジュール１２５は、グループ印刷ジョブに対する操作として、キャンセルを受け付けた場合は、そのグループ印刷ジョブ内の印刷保留又は印刷中となっている印刷ジョブに対応する画像形成装置１５０に対してキャンセルの指示を行うようにしてもよい。
さらに、グループ印刷ジョブ用指示モジュール１２５は、印刷保留又は印刷中となっている印刷ジョブのうち、グループ印刷ジョブ内の順番とは逆順になるように、画像形成装置１５０に対してキャンセルの指示を行うようにしてもよい。
【００４９】
例えば、グループ印刷ジョブ用指示モジュール１２５は、グループ印刷ジョブに対する操作として、試し刷りを受け付けた場合は、そのグループ印刷ジョブ内の印刷保留となっている印刷ジョブに対応する画像形成装置１５０に対して試し刷りの指示を行うようにしてもよい。
さらに、グループ印刷ジョブ用指示モジュール１２５は、印刷保留となっている印刷ジョブのうち、グループ印刷ジョブ内の順番にしたがって、画像形成装置１５０に対して試し刷りの指示を行うようにしてもよい。
【００５０】
例えば、グループ印刷ジョブ用指示モジュール１２５は、グループ印刷ジョブに対する操作として、優先印刷を受け付けた場合は、そのグループ印刷ジョブ内の印刷保留となっている印刷ジョブに対応する画像形成装置１５０に対して優先印刷の指示を行うようにしてもよい。
さらに、グループ印刷ジョブ用指示モジュール１２５は、印刷保留となっている印刷ジョブのうち、グループ印刷ジョブ内の順番にしたがって、画像形成装置１５０に対して優先印刷の指示を行うようにしてもよい。
【００５１】
例えば、グループ印刷ジョブ用指示モジュール１２５は、グループ印刷ジョブに対する操作として、割り込み印刷を受け付けた場合は、そのグループ印刷ジョブ内の印刷保留となっている印刷ジョブに対応する画像形成装置１５０に対して割り込み印刷の指示を行うようにしてもよい。
さらに、グループ印刷ジョブ用指示モジュール１２５は、印刷保留となっている印刷ジョブのうち、グループ印刷ジョブ内の順番とは逆順になるように、画像形成装置１５０に対して割り込み印刷の指示を行うようにしてもよい。
【００５２】
画像形成装置通信モジュール１３０は、単独印刷ジョブ用指示モジュール１１５、画像形成装置状況検知モジュール１２０、グループ印刷ジョブ用指示モジュール１２５、画像形成装置１５０Ａ、画像形成装置１５０Ｂ、画像形成装置１５０Ｃと接続されている。画像形成装置通信モジュール１３０は、単独印刷ジョブ用指示モジュール１１５又はグループ印刷ジョブ用指示モジュール１２５によって選択された画像形成装置１５０に対して、印刷ジョブ又はグループ印刷ジョブに対する指示を渡す。そして、各画像形成装置１５０から、その画像形成装置１５０の状況の検知結果を受け、グループ印刷ジョブ用指示モジュール１２５に渡す。
画像形成装置１５０（画像形成装置１５０Ａ、画像形成装置１５０Ｂ、画像形成装置１５０Ｃ）は、情報処理装置１００の画像形成装置通信モジュール１３０と接続されている。画像形成装置１５０は、情報処理装置１００から送信されてきた印刷ジョブ、又は、グループ印刷ジョブを受信して、その印刷ジョブにしたがって印刷処理を行う。そして、その印刷ジョブ（グループ印刷ジョブ内の印刷ジョブを含む）に対する指示にしたがった処理を行う。
なお、図１の例では、３つの画像形成装置１５０を接続しているが、１つ以上の画像形成装置１５０が接続されていればよい。
【００５３】
図２は、本実施の形態を利用したシステム構成例を示す説明図である。
なお、情報処理装置１００は、画像形成装置１５０の外部コントローラー内に備えつけられていてもよい。
図２（ａ）に示す例では、情報処理装置１００Ａは、ユーザー端末２１０（ユーザー端末２１０Ａ、ユーザー端末２１０Ｂ、ユーザー端末２１０Ｃ、ユーザー端末２１０Ｄ）、画像形成装置１５０（画像形成装置１５０Ａ、画像形成装置１５０Ｂ、画像形成装置１５０Ｃ）と接続されている。
情報処理装置１００Ａは、ユーザー端末２１０から印刷ジョブ又はグループ印刷ジョブを受け取って、その印刷ジョブ又はグループ印刷ジョブに適した画像形成装置１５０に、その印刷ジョブ又はグループ印刷ジョブを渡す。その画像形成装置１５０は、受け取った印刷ジョブ又はグループ印刷ジョブにしたがって印刷処理を行う。そして、情報処理装置１００Ａは、印刷ジョブ又はグループ印刷ジョブに対してのユーザーの操作を受け取って、その印刷ジョブ又はグループ印刷ジョブの処理をしている画像形成装置１５０に、その操作に応じた指示を行う。なお、ユーザーの操作は、情報処理装置１００Ａ又はユーザー端末２１０上で行われたものである。
【００５４】
図２（ｂ）に示す例では、情報処理装置１００Ａ、情報処理装置１００Ｂ、ユーザー端末２１０Ａ、ユーザー端末２１０Ｂ、ユーザー端末２１０Ｃ、ユーザー端末２１０Ｄは、通信回線２９０を介してそれぞれ接続されている。通信回線２９０は、無線、有線、これらの組み合わせであってもよく、例えば、通信インフラとしてのインターネット、イントラネット等であってもよい。また、情報処理装置１００による機能は、クラウドサービスとして実現してもよい。
情報処理装置１００Ａは、画像形成装置１５０Ａ、画像形成装置１５０Ｂ、画像形成装置１５０Ｃと接続されている。
情報処理装置１００Ｂは、画像形成装置１５０Ｄ、画像形成装置１５０Ｅ、画像形成装置１５０Ｆ、画像形成装置１５０Ｇと接続されている。
情報処理装置１００は、通信回線２９０経由で、ユーザー端末２１０から印刷ジョブ又はグループ印刷ジョブを受け取って、その印刷ジョブ又はグループ印刷ジョブに適した画像形成装置１５０に、その印刷ジョブ又はグループ印刷ジョブを渡す。その画像形成装置１５０は、受け取った印刷ジョブ又はグループ印刷ジョブにしたがって印刷処理を行う。そして、情報処理装置１００Ａ又は情報処理装置１００Ｂは、印刷ジョブ又はグループ印刷ジョブに対してのユーザーの操作を受け取って、その印刷ジョブ又はグループ印刷ジョブの処理をしている画像形成装置１５０に、その操作に応じた指示を行う。なお、ユーザーの操作は、情報処理装置１００Ａ、情報処理装置１００Ｂ又はユーザー端末２１０上で行われたものである。
【００５５】
図３は、本実施の形態の利用例を示す説明図である。グループ印刷ジョブについて、さらに詳細に説明する。
グループ印刷ジョブは、複数の印刷ジョブによって構成されている。つまり、いくつかの印刷ジョブをまとめた単位であって、印刷ジョブを複数入れる箱のようなものである。したがって、グループ印刷ジョブそのものは印刷データや印刷設定を持たず、構成要素である印刷ジョブが個別に印刷データや印刷設定を持っている。
例えば、印刷で使う用紙が同じなど、ユーザーにとってメリットのある何らかの括りでいくつかの印刷ジョブをまとめ、その１つにまとめたグループ印刷ジョブに対して、印刷ジョブの一括操作を実現するものである。つまり、グループ印刷ジョブをあたかも１つの印刷ジョブとして扱うようにしている。
また、グループ印刷ジョブに含まれる印刷ジョブの集計情報（例えば、印刷枚数等）を、複数の画像形成装置１５０への印刷ジョブ投げ分け時における判断材料の１つとしている。
【００５６】
印刷ジョブ群３００として、印刷ジョブ３０２、印刷ジョブ３０４、印刷ジョブ３０６、印刷ジョブ３０８、印刷ジョブ３１０、印刷ジョブ３１２、印刷ジョブ３１４、印刷ジョブ３１６、印刷ジョブ３１８、印刷ジョブ３２０等がある。これらの中から、前述したように印刷ジョブをまとめることができる。例えば、印刷ジョブ３０４、印刷ジョブ３１０、印刷ジョブ３１４を含むグループ印刷ジョブＡ３３０を作成することができる。また、印刷ジョブ３０６、印刷ジョブ３１２、印刷ジョブ３１８を含むグループ印刷ジョブＢ３４０を作成することができる。
情報処理装置１００は、ユーザー３９０の操作によって、各画像形成装置１５０に対して、例えば、印刷ジョブの送信、一時停止、試し刷り、印刷再開、キャンセル等の処理を行わせることができる。
グループ印刷ジョブＡ３３０では、印刷用紙としてある用紙Ａが設定されている場合、その用紙Ａが既にセット（「ストックＡがセット」とも言われる）されている画像形成装置１５０Ａを選択して、グループ印刷ジョブＡ３３０を画像形成装置１５０Ａに送信する。
また、グループ印刷ジョブＢ３４０では、合計の印刷枚数が３０００枚である場合、その３０００枚の出力が途中での作業なしに（排紙受部から印刷途中で印刷済用紙を取り除くことなしに）印刷することができる画像形成装置１５０Ｂを選択して、グループ印刷ジョブＢ３４０を画像形成装置１５０Ｂに送信する。この場合、画像形成装置１５０Ｂの排紙受部は、３０００枚以上を受け取ることができるものである。
【００５７】
図４は、本実施の形態による画面４００の表示例を示す説明図である。情報処理装置１００におけるグループ印刷ジョブ、印刷ジョブの表示例を示すものである。
図４（ａ）では、画面４００には、印刷ジョブ表示領域４１０を表示している。印刷ジョブ表示領域４１０は、チェック欄４１２、ＩＤ欄４１４、印刷ジョブ名欄４１６、ステータス欄４１８、部数欄４２０、送信先欄４２２、詳細欄４２４を有している。チェック欄４１２は、処理対象とすることができるチェック欄を有している。チェック欄４１２でチェックした印刷ジョブ又はグループ印刷ジョブに対して、前述の操作が可能である。ＩＤ欄４１４は、印刷ジョブ又はグループ印刷ジョブの識別情報（ＩＤ：ＩＤｅｎｔｉｆｉｃａｔｉｏｎ）を表示している。印刷ジョブ名欄４１６は、その印刷ジョブ又はグループ印刷ジョブの印刷ジョブ名を表示している。ステータス欄４１８は、その印刷ジョブ又はグループ印刷ジョブの現在の状況（ステータス）を表示している。部数欄４２０は、その印刷ジョブ又はグループ印刷ジョブにおける部数を表示している。送信先欄４２２は、その印刷ジョブ又はグループ印刷ジョブの送信先（画像形成装置１５０）を表示している。詳細欄４２４は、その印刷ジョブ又はグループ印刷ジョブの詳細を表示するためのボタンを有している。
【００５８】
グループ印刷ジョブの下記の操作方法は、単独の印刷ジョブ（従来の印刷ジョブ）に対するものと同じである。
−［編集］を除いたグループ印刷ジョブに対する操作（送信、コピー、削除、保持／解除等）
−画像形成装置１５０で処理対象となっているグループ印刷ジョブ（画像形成装置１５０に既に送信されたグループ印刷ジョブ）に対する操作（印刷再開、一時停止、キャンセル、試し刷り、優先印刷、割り込み印刷等）
また、各操作における操作可否や挙動は、グループ印刷ジョブ内に含まれる印刷ジョブのステータス（状況）に応じて変化する。
【００５９】
図４（ａ）の例に示す印刷ジョブ表示領域４１０では、１行目にＩＤ：１０、印刷ジョブ名：ジョブ１０、ステータス：送信待ち、部数：１、送信先：未定であることを示しており、２行目にＩＤ：９、印刷ジョブ名：グループジョブＡ（４ジョブ）、ステータス：送信待ち、部数：未定、送信先：未定であることを示しており、３行目にＩＤ：８、印刷ジョブ名：グループジョブＢ（３ジョブ）、ステータス：送信待ち、部数：未定、送信先：未定であることを示しており、４行目にＩＤ：１、印刷ジョブ名：ジョブ１、ステータス：送信待ち、部数：５、送信先：未定であることを示している。
そして、２行目、３行目の印刷ジョブ名欄４１６にグループ印刷ジョブマーク４３２、グループ印刷ジョブマーク４３４が付与されており、それがグループ印刷ジョブであることを示している。つまり、印刷ジョブ名欄４１６の先頭に、グループ印刷ジョブの開／閉状態を示すアイコン（図４では黒三角マーク）を表示している。グループ印刷ジョブマーク４３２、グループ印刷ジョブマーク４３４に対するユーザーの選択操作（クリック操作）で、対象としているグループ印刷ジョブの開閉表示が切り替わる。初期表示時は、全て閉じられた状態で表示される。なお、「開いている」とは、グループ印刷ジョブを構成している印刷ジョブを表示することであり（図４（ｂ）参照）、「閉じている」とは、グループ印刷ジョブだけを（あたかも１つの印刷ジョブであるかのように）表示することである。
【００６０】
グループ印刷ジョブを開いた状態を、図４（ｂ）の例に示す。
図４（ｂ）の例に示す印刷ジョブ表示領域４１０では、１行目にＩＤ：１０、印刷ジョブ名：ジョブ１０、ステータス：送信待ち、部数：１、送信先：未定であることを示しており、２行目にＩＤ：９、印刷ジョブ名：グループジョブＡ（４ジョブ）、ステータス：送信待ち、部数：未定、送信先：未定であることを示しており、３行目にＩＤ：６、印刷ジョブ名：ジョブ６、ステータス：送信待ち、部数：５、送信先：未定であることを示しており、４行目にＩＤ：５、印刷ジョブ名：ジョブ５、ステータス：送信待ち、部数：５、送信先：未定であることを示しており、５行目にＩＤ：４、印刷ジョブ名：ジョブ４、ステータス：送信待ち、部数：５、送信先：未定であることを示しており、６行目にＩＤ：３、印刷ジョブ名：ジョブ３、ステータス：送信待ち、部数：５、送信先：未定であることを示しており、７行目にＩＤ：８、印刷ジョブ名：グループジョブＢ（３ジョブ）、ステータス：送信待ち、部数：未定、送信先：未定であることを示しており、８行目にＩＤ：７、印刷ジョブ名：ジョブ７、ステータス：送信待ち、部数：５、送信先：未定であることを示しており、９行目にＩＤ：１１、印刷ジョブ名：グループジョブＣ（２ジョブ）、ステータス：送信待ち、部数：未定、送信先：未定であることを示しており、１０行目にＩＤ：１、印刷ジョブ名：ジョブ１、ステータス：送信待ち、部数：５、送信先：未定であることを示している。３行目から６行目までは、グループ印刷ジョブＡを構成している印刷ジョブ群を示しており、８行目と９行目は、グループ印刷ジョブＢを構成している印刷ジョブ群を示している。なお、グループ印刷ジョブ内にさらにグループ印刷ジョブを含めてもよい。グループ印刷ジョブＢには、グループ印刷ジョブＣが含まれている。なお、予め定められた階層数（例えば、最大３階層等）までのグループ印刷ジョブを形成できるようにしてもよい。
【００６１】
なお、図４（ｂ）の状態で、ＩＤ欄４１４のソートを行った場合、ソート対象は、ルート印刷ジョブ（グループ印刷ジョブの配下に位置しない印刷ジョブ、つまり、単独の印刷ジョブとグループ印刷ジョブのこと）である。グループ印刷ジョブを構成している印刷ジョブは、そのグループ印刷ジョブから外れてソート対象となることは好ましくないからである。
【００６２】
また、ユーザーの選択操作によって詳細欄４２４が選択された場合、その選択された行の印刷ジョブの属性をプロパティ画面（ポップアップ画面等）に提示する。つまり、そのグループ印刷ジョブに含まれる印刷ジョブの属性の統合結果を提示する。例えば、各属性の論理和、合計等を行う。具体的には、各印刷ジョブの属性を抽出し、必要とする後処理機能（例えば、ステープラー、製本、穴あけ等、フィニッシャーとも言われる）を抽出すること、用紙種類毎に枚数を合計すること等がある。
【００６３】
図５は、本実施の形態による処理例を示すフローチャートである。
ステップＳ５０２では、操作受付モジュール１０５は、単独の印刷ジョブ又はグループ印刷ジョブに対する操作を受け付ける。
ステップＳ５０４では、印刷ジョブ振分モジュール１１０は、グループ印刷ジョブに対しての操作であるか否かを判断し、グループ印刷ジョブに対しての操作の場合はステップＳ５１２へ進み、それ以外の場合はステップＳ５０６へ進む。例えば、後述するグループ印刷ジョブテーブル６００のグループフラグ欄６１０、グループ印刷ジョブテーブル７００のグループフラグ欄７１０、印刷ジョブテーブル８００のグループフラグ欄８１０を参照して、操作対象がグループ印刷ジョブであるか否かを判断すればよい。
【００６４】
ステップＳ５０６では、単独印刷ジョブ用指示モジュール１１５は、その印刷ジョブに対応する印刷装置を抽出する。例えば、後述する印刷ジョブ対応テーブル１０００から抽出すればよい。そして、その印刷装置の属性を抽出する。例えば、後述する印刷装置テーブル９００から抽出すればよい。
ステップＳ５０８では、単独印刷ジョブ用指示モジュール１１５は、その印刷ジョブＩＤに対応する印刷装置側印刷ジョブＩＤを抽出する。例えば、後述する印刷ジョブ対応テーブル１０００から抽出すればよい。
ステップＳ５１０では、単独印刷ジョブ用指示モジュール１１５は、画像形成装置通信モジュール１３０を介して、印刷装置の印刷装置側印刷ジョブＩＤの印刷ジョブに対して、操作の指示を行う。
【００６５】
ステップＳ５１２では、グループ印刷ジョブ用指示モジュール１２５は、グループ印刷ジョブに含まれている印刷ジョブを抽出する。例えば、後述するグループ印刷ジョブテーブル６００の印刷ジョブＩＤ欄６２５、又は、グループ印刷ジョブテーブル７００の印刷ジョブＩＤ欄７２５（印刷ジョブ数欄７２０内の数だけの印刷ジョブＩＤ欄７２５（図７では、印刷ジョブＩＤ欄７２５Ａ等の５つの印刷ジョブＩＤ欄７２５））から抽出すればよい。
ステップＳ５１４では、グループ印刷ジョブ用指示モジュール１２５は、その印刷ジョブに対応する印刷装置を抽出する。例えば、後述する印刷ジョブ対応テーブル１０００から抽出すればよい。そして、その印刷装置の属性を抽出する。例えば、後述する印刷装置テーブル９００から抽出すればよい。
ステップＳ５１６では、グループ印刷ジョブ用指示モジュール１２５は、その印刷ジョブＩＤに対応する印刷装置側印刷ジョブＩＤを抽出する。例えば、後述する印刷ジョブ対応テーブル１０００から抽出すればよい。
【００６６】
ステップＳ５１８では、画像形成装置状況検知モジュール１２０は、印刷装置の印刷装置側印刷ジョブＩＤの印刷ジョブのステータスを検知する。検知結果から、例えば、後述する印刷装置状況テーブル１１００を生成する。
ステップＳ５２０では、グループ印刷ジョブ用指示モジュール１２５は、画像形成装置通信モジュール１３０を介して、操作方法テーブル１２００にしたがって、対象となっている各印刷装置側印刷ジョブＩＤの印刷ジョブに対して、操作の指示を行う。
【００６７】
図６は、グループ印刷ジョブテーブル６００のデータ構造例を示す説明図である。グループ印刷ジョブテーブル６００は、印刷ジョブＩＤ欄６０５、グループフラグ欄６１０、グループ印刷ジョブ名欄６１５、印刷ジョブ数欄６２０、印刷ジョブＩＤ欄６２５、最優先印刷ジョブＩＤ欄６３０を有している。印刷ジョブＩＤ欄６０５は、本実施の形態において、印刷ジョブ又はグループ印刷ジョブを一意に識別するための情報（印刷ジョブＩＤ）を記憶している。グループフラグ欄６１０は、グループ印刷ジョブであるか否かの情報（グループフラグ）を記憶している。グループ印刷ジョブ名欄６１５は、そのグループ印刷ジョブの名称を記憶している。印刷ジョブ数欄６２０は、そのグループ印刷ジョブに含まれている印刷ジョブ数を記憶している。印刷ジョブＩＤ欄６２５は、そのグループ印刷ジョブに含まれている印刷ジョブＩＤを記憶している。各印刷ジョブの情報については、後述する印刷ジョブテーブル８００に記憶されている。印刷ジョブＩＤ欄６２５内は、複数の印刷ジョブＩＤが記憶されている。最優先印刷ジョブＩＤ欄６３０は、そのグループ印刷ジョブにおいて、最優先に印刷する印刷ジョブＩＤを記憶している。
グループフラグ欄６１０をチェックすることによって、ステップＳ５０４の処理を行う。
例えば、図６は、印刷ジョブＩＤ：９は、グループフラグ：１（グループ印刷ジョブであることを示しているフラグ）であり、グループ印刷ジョブ名：グループジョブＡであり、印刷ジョブ数：５であり、印刷ジョブＩＤ：１、１０、１５、１６、２０によって構成されており、最優先印刷ジョブＩＤ：１５であることを示している。
【００６８】
グループ印刷ジョブテーブル６００の代わりに、グループ印刷ジョブテーブル７００を用いてもよい。図７は、グループ印刷ジョブテーブル７００のデータ構造例を示す説明図である。グループ印刷ジョブテーブル７００は、各印刷ジョブの優先順位が設定されている。具体的には、グループ印刷ジョブテーブル７００は、印刷ジョブＩＤ欄７０５、グループフラグ欄７１０、グループ印刷ジョブ名欄７１５、印刷ジョブ数欄７２０、印刷ジョブＩＤ欄７２５Ａ、順位欄７３０Ａ、印刷ジョブＩＤ欄７２５Ｂ、順位欄７３０Ｂ、印刷ジョブＩＤ欄７２５Ｃ、順位欄７３０Ｃ、印刷ジョブＩＤ欄７２５Ｄ、順位欄７３０Ｄ、印刷ジョブＩＤ欄７２５Ｅ、順位欄７３０Ｅを有している。印刷ジョブＩＤ欄７０５は、印刷ジョブＩＤを記憶している。グループフラグ欄７１０は、グループ印刷ジョブであるか否かの情報（グループフラグ）を記憶している。グループ印刷ジョブ名欄７１５は、そのグループ印刷ジョブの名称を記憶している。印刷ジョブ数欄７２０は、そのグループ印刷ジョブに含まれている印刷ジョブ数を記憶している。印刷ジョブ数欄７２０内の数だけ、その後に印刷ジョブＩＤ欄７２５、順位欄７３０の組が続く。印刷ジョブＩＤ欄７２５は、そのグループ印刷ジョブに含まれている印刷ジョブＩＤを記憶している。各印刷ジョブの情報については、後述する印刷ジョブテーブル８００に記憶されている。順位欄７３０は、その印刷ジョブＩＤの印刷ジョブのグループ印刷ジョブ内における優先順位（印刷順位）を記憶している。
グループフラグ欄７１０をチェックすることによって、ステップＳ５０４の処理を行う。
例えば、図７は、印刷ジョブＩＤ：９は、グループフラグ：１であり、グループ印刷ジョブ名：グループジョブＡであり、印刷ジョブ数：５であり、印刷ジョブＩＤ：１は、順位：３であり、印刷ジョブＩＤ：１０は、順位：２であり、印刷ジョブＩＤ：１５は、順位：１であり、印刷ジョブＩＤ：１６は、順位：５であり、印刷ジョブＩＤ：２０は、順位：４であることを示している。
【００６９】
図８は、印刷ジョブテーブル８００のデータ構造例を示す説明図である。印刷ジョブテーブル８００は、印刷ジョブＩＤ欄８０５、グループフラグ欄８１０、印刷ジョブ名欄８１５、所有者欄８２０、頁数欄８２５、部数欄８３０、用紙サイズ欄８３５、用紙種欄８４０、印刷文書欄８４５、カラー／白黒欄８５０、指定日時欄８５５、後処理欄８６０を有している。印刷ジョブＩＤ欄８０５は、印刷ジョブＩＤを記憶している。グループフラグ欄８１０は、グループ印刷ジョブであるか否かの情報（グループフラグ）を記憶している。印刷ジョブ名欄８１５は、印刷ジョブ名を記憶している。所有者欄８２０は、その印刷ジョブの所有者（最終的な処理結果である印刷物の所有者、エンドユーザー）を記憶している。頁数欄８２５は、その印刷ジョブにおける印刷文書の頁数を記憶している。部数欄８３０は、その印刷ジョブにおける印刷の部数を記憶している。用紙サイズ欄８３５は、その印刷ジョブにおける用紙サイズを記憶している。用紙種欄８４０は、用紙種を記憶している。印刷文書欄８４５は、その印刷ジョブにおける印刷文書を記憶している。印刷文書そのものを記憶していてもよいし、その印刷文書が記憶されている場所（例えば、文書ＩＤ、文書名、ＵＲＬ：Ｕｎｉｆｏｒｍ  Ｒｅｓｏｕｒｃｅ  Ｌｏｃａｔｏｒ等）であってもよい。カラー／白黒欄８５０は、その印刷ジョブはカラー印刷であるか白黒印刷であるかの情報を記憶している。カラー／白黒欄８５０では、カラー、白黒だけでなく、特色（金色、銀色、蛍光色等）の指定ができてもよい。指定日時欄８５５は、指定日時を記憶している。後処理欄８６０は、その印刷ジョブにおける後処理（例えば、ステープラー処理、穴あけ処理、製本処理等）を記憶している。
【００７０】
図９は、印刷装置テーブル９００のデータ構造例を示す説明図である。印刷装置テーブル９００は、印刷装置ＩＤ欄９０５、印刷装置名欄９１０、印刷速度欄９１５、装備可能なトナー種類欄９２０、装備可能な用紙欄９２５、両面印刷欄９３０、最大給紙容量欄９３５、排出先数欄９４０、後処理機能欄９４５、印刷コスト欄９５０を有している。印刷装置ＩＤ欄９０５は、本実施の形態において、印刷装置を一意に識別するための情報（印刷装置ＩＤ）を記憶している。印刷装置名欄９１０は、その印刷装置の名称を記憶している。印刷速度欄９１５は、その印刷装置の印刷速度を記憶している。なお、印刷速度欄９１５では、用紙の種類（Ａ４サイズ、Ａ３サイズ等）毎に印刷速度を設けてもよい。装備可能なトナー種類欄９２０は、その印刷装置に装備可能なトナーの種類を記憶している。例えば、カラートナーの種類（黒トナー、シアントナー、マゼンタトナー、イエロートナー、特色トナー等）である。装備可能な用紙欄９２５は、その印刷装置に装備可能な用紙を記憶している。両面印刷欄９３０は、その印刷装置は、両面印刷が可能か否かの情報を記憶している。最大給紙容量欄９３５は、その印刷装置の最大給紙容量を記憶している。排出先数欄９４０は、その印刷装置が有している排出先数を記憶している。さらに、その排出先における容量（排紙受部が排紙を受け入れることができる枚数）を記憶していてもよい。後処理機能欄９４５は、その印刷装置が有している後処理機能を記憶している。印刷コスト欄９５０は、その印刷装置における印刷コストを記憶している。
なお、グループ印刷ジョブを印刷できる印刷装置が複数ある場合は、印刷時間の短いもの（印刷速度が速いもの）、印刷コストが安いものを選択してもよい。
【００７１】
図１０は、印刷ジョブ対応テーブル１０００のデータ構造例を示す説明図である。印刷装置側でも印刷ジョブを管理しており、印刷ジョブについて独自に識別情報（印刷装置側印刷ジョブＩＤ）を付している。印刷ジョブ対応テーブル１０００は、画像形成装置状況検知モジュール１２０によって、画像形成装置１５０からの状況（印刷ジョブと印刷装置側印刷ジョブＩＤとの対応）を受け取って、生成される。また、印刷ジョブ対応テーブル１０００の印刷装置ＩＤ欄１００５と印刷ジョブＩＤ欄１０１０の対応は、印刷装置に印刷ジョブが渡された際に生成される。
印刷ジョブ対応テーブル１０００は、印刷装置ＩＤ欄１００５、印刷ジョブＩＤ欄１０１０、印刷装置側印刷ジョブＩＤ欄１０１５を有している。印刷装置ＩＤ欄１００５は、印刷装置ＩＤを記憶している。印刷ジョブＩＤ欄１０１０は、その印刷装置ＩＤの印刷装置で処理対象となっている印刷ジョブＩＤを記憶している。印刷装置側印刷ジョブＩＤ欄１０１５は、その印刷ジョブＩＤの印刷ジョブを処理している印刷装置における印刷装置側印刷ジョブＩＤを記憶している。つまり、印刷装置と印刷ジョブと印刷装置側印刷ジョブＩＤの対応を記憶している。
【００７２】
図１１は、印刷装置状況テーブル１１００のデータ構造例を示す説明図である。印刷装置状況テーブル１１００は、画像形成装置状況検知モジュール１２０が各印刷装置の状況を検知して生成される。印刷装置状況テーブル１１００は、印刷装置ＩＤ欄１１０５、印刷装置名欄１１１０、印刷装置側印刷ジョブＩＤ欄１１１５、状況欄１１２０、印刷可能予測日時欄１１２５、トナー残容量欄１１３０、用紙残量欄１１４０を有しており、トナー残容量欄１１３０は、Ａトナー欄１１３２、Ｂトナー欄１１３４、Ｃトナー欄１１３６を有しており、用紙残量欄１１４０は、Ａ４欄１１４２、Ａ３欄１１４４を有している。印刷装置ＩＤ欄１１０５は、印刷装置ＩＤを記憶している。印刷装置名欄１１１０は、その印刷装置の名称を記憶している。印刷装置側印刷ジョブＩＤ欄１１１５は、印刷装置側印刷ジョブＩＤを記憶している。状況欄１１２０は、その印刷装置の状況を記憶している。印刷可能予測日時欄１１２５は、その印刷装置が印刷可能となる予測日時を記憶している。トナー残容量欄１１３０は、その印刷装置における現在のトナー残容量を記憶している。Ａトナー欄１１３２は、Ａトナーの残容量を記憶している。Ｂトナー欄１１３４は、Ｂトナーの残容量を記憶している。Ｃトナー欄１１３６は、Ｃトナーの残容量を記憶している。トナー残容量欄１１３０では、黒トナー、シアントナー、マゼンタトナー、イエロートナーだけでなく、その印刷装置が対応可能な特色トナーの残容量を設けてもよい。用紙残量欄１１４０は、その印刷装置における現在の用紙残量を記憶している。Ａ４欄１１４２は、Ａ４用紙の残量を記憶している。Ａ３欄１１４４は、Ａ３用紙の残量を記憶している。
【００７３】
図１２は、操作方法テーブル１２００のデータ構造例を示す説明図である。
操作方法テーブル１２００は、印刷ジョブ操作欄１２０５、印刷ジョブグループ内の実行順欄１２１０、対象ステータス欄１２１５を有している。印刷ジョブ操作欄１２０５は、印刷ジョブに対する操作を記憶している。印刷ジョブグループ内の実行順欄１２１０は、印刷ジョブの送信先である印刷装置における印刷ジョブグループ内の実行順を記憶している。対象ステータス欄１２１５は、印刷ジョブの対象とすべきステータスを記憶している。つまり、このステータスである印刷ジョブが操作の対象となる。
【００７４】
操作方法テーブル１２００の１行目は、印刷ジョブに対する操作として「印刷再開」を受け付けた場合は、印刷装置内のステータスが「印刷保留」となっている印刷ジョブに対して、印刷ジョブグループ内の実行順と同じ「正順」となるように、該当印刷装置の該当印刷ジョブに対して「印刷再開」の指示を行う。つまり、グループ印刷ジョブ内の順番と同じ順番で、印刷保留となっている印刷ジョブに対して、印刷再開させることになる。
【００７５】
２行目は、印刷ジョブに対する操作として「一時停止」を受け付けた場合は、印刷装置内のステータスが「印刷中」となっている印刷ジョブに対して、印刷ジョブグループ内の実行順とは「逆順」となるように、該当印刷装置の該当印刷ジョブに対して「一時停止」の指示を行う。つまり、グループ印刷ジョブ内の順番とは逆の順番で、印刷中となっている印刷ジョブに対して、一時停止の指示を行うことになる。２番目以降の印刷ジョブを一時停止させた後に、１番目の印刷ジョブ（現在、印刷中の印刷ジョブ）を一時停止させることになる。
【００７６】
３行目は、印刷ジョブに対する操作として「キャンセル」を受け付けた場合は、印刷装置内のステータスが「印刷保留、印刷中」となっている印刷ジョブに対して、印刷ジョブグループ内の実行順とは「逆順」となるように、該当印刷装置の該当印刷ジョブに対して「キャンセル」の指示を行う。つまり、グループ印刷ジョブ内の順番とは逆の順番で、印刷保留又は印刷中となっている印刷ジョブに対して、キャンセルさせることになる。
【００７７】
４行目は、印刷ジョブに対する操作として「試し刷り」を受け付けた場合は、印刷装置内のステータスが「印刷保留」となっている印刷ジョブに対して、印刷ジョブグループ内の実行順と同じ「正順」となるように、該当印刷装置の該当印刷ジョブに対して「試し刷り」の指示を行う。つまり、グループ印刷ジョブ内の順番と同じ順番で、印刷保留となっている印刷ジョブに対して、試し刷りさせることになる。
【００７８】
５行目は、印刷ジョブに対する操作として「優先印刷」を受け付けた場合は、印刷装置内のステータスが「印刷保留」となっている印刷ジョブに対して、印刷ジョブグループ内の実行順と同じ「正順」となるように、該当印刷装置の該当印刷ジョブに対して「優先印刷」の指示を行う。つまり、グループ印刷ジョブ内の順番と同じ順番で、印刷保留となっている印刷ジョブに対して、優先印刷させることになる。なお、優先印刷はキューにより実装しているので、「正順」となっている。
【００７９】
６行目は、印刷ジョブに対する操作として「割り込み印刷」を受け付けた場合は、印刷装置内のステータスが「印刷保留」となっている印刷ジョブに対して、印刷ジョブグループ内の実行順とは「逆順」となるように、該当印刷装置の該当印刷ジョブに対して「割り込み印刷」の指示を行う。つまり、グループ印刷ジョブ内の順番とは逆の順番で、印刷保留となっている印刷ジョブに対して、割り込み印刷させることになる。なお、割り込み印刷はスタックにより実装しているので、「逆順」としている。
【００８０】
図１３は、本実施の形態による処理例を示す説明図である。
情報処理装置１００では、グループ印刷ジョブＸ１３７０、グループ印刷ジョブＹ１３７５、グループ印刷ジョブＺ１３８０を受け付けている。グループ印刷ジョブＸ１３７０は、印刷ジョブ１３５４、印刷ジョブ１３６０を有している。グループ印刷ジョブＹ１３７５は、印刷ジョブ１３５６、印刷ジョブ１３６２、印刷ジョブ１３６８を有している。グループ印刷ジョブＺ１３８０は、印刷ジョブ１３５８、印刷ジョブ１３６４を有している。情報処理装置１００は、画像形成装置１５０Ａにグループ印刷ジョブＸ１３７０内の印刷ジョブを送信し、印刷ジョブ１３５４、印刷ジョブ１３６０にしたがって印刷させる。情報処理装置１００は、画像形成装置１５０Ｂにグループ印刷ジョブＹ１３７５内の印刷ジョブを送信し、印刷ジョブ１３５６、印刷ジョブ１３６２、印刷ジョブ１３６８にしたがって印刷させる。情報処理装置１００は、画像形成装置１５０Ｃにグループ印刷ジョブＺ１３８０内の印刷ジョブを送信し、印刷ジョブ１３５８、印刷ジョブ１３６４にしたがって印刷させる。
印刷ジョブ管理システムの機能を有する情報処理装置１００の印刷ジョブと各画像形成装置１５０内の印刷ジョブは、印刷ジョブ対応テーブル１０００で対応付け（ひもづけ）られており、情報処理装置１００は各画像形成装置１５０における印刷ジョブのステータスを把握できる（図１１の例に示した印刷装置状況テーブル１１００参照）。
情報処理装置１００では、グループ印刷ジョブに対しても、また、グループ印刷ジョブ内の印刷ジョブに対しても画像形成装置１５０における印刷ジョブに対する操作が可能である。
グループ印刷ジョブに対して操作を受け付けた場合には、その操作に応じて定義された順番（グループ印刷ジョブ内の印刷ジョブの順番に対しての正順又は逆順）で、その操作が可能なステータスの印刷ジョブに対して、対応付けられた印刷ジョブを有している画像形成装置１５０に対し、印刷ジョブ対応テーブル１０００をもとに画像形成装置１５０内の印刷ジョブに対して指示を行う。
【００８１】
図１４は、本実施の形態による処理例を示すフローチャートである。印刷ジョブ対応テーブル１０００を生成する処理例を示すものである。
ステップＳ１４０２では、情報処理装置１００は、画像形成装置１５０に対して、単独の印刷ジョブを送信する。
ステップＳ１４０４では、画像形成装置１５０は、情報処理装置１００より、印刷ジョブを受信する。
ステップＳ１４０６では、画像形成装置１５０は、その印刷ジョブに印刷装置側印刷ジョブＩＤを付与する。
ステップＳ１４０８では、画像形成装置１５０は、情報処理装置１００に対して、印刷装置側印刷ジョブＩＤを送信する。
ステップＳ１４１０では、情報処理装置１００は、画像形成装置１５０より、印刷装置側印刷ジョブＩＤを受信する。
ステップＳ１４１２では、情報処理装置１００は、印刷ジョブ対応テーブル１０００を生成する。
【００８２】
図１５は、本実施の形態による画面の表示例を示す説明図である。
画面１５００には、情報処理装置側印刷ジョブ操作領域１５０５、印刷装置側印刷ジョブ操作領域１５４０、印刷ジョブ表示領域４１０を表示する。
情報処理装置側印刷ジョブ操作領域１５０５には、送信ボタン１５１０、編集ボタン１５１５、コピーボタン１５２０、削除ボタン１５２５、保持／解除ボタン１５３０、グループ操作ボタン１５３５を表示する。
印刷装置側印刷ジョブ操作領域１５４０には、プリント／再開ボタン１５４５、試し刷りを示すプルーフプリントボタン１５５０、一時停止ボタン１５５５を表示する。
ユーザーの操作によって、印刷ジョブ表示領域４１０内のチェック欄４１２で、印刷ジョブ又はグループ印刷ジョブが選択される。その後、印刷装置側印刷ジョブ操作領域１５４０内のボタンが選択された場合は、チェック欄４１２で選択された印刷ジョブ又はグループ印刷ジョブに対して、そのボタンに対応する処理を行う。なお、印刷装置側印刷ジョブ操作領域１５４０には、プリント／再開ボタン１５４５、プルーフプリントボタン１５５０、一時停止ボタン１５５５を例示しているが、この他に、キャンセル、優先印刷、割り込み印刷等に対応するボタンを表示させてもよい。
【００８３】
図１６を参照して、本実施の形態の情報処理装置１００のハードウェア構成例について説明する。図１６に示す構成は、例えばパーソナルコンピュータ（ＰＣ）等によって構成されるものであり、スキャナ等のデータ読み取り部１６１７と、プリンター等のデータ出力部１６１８を備えたハードウェア構成例を示している。
【００８４】
ＣＰＵ（Ｃｅｎｔｒａｌ  Ｐｒｏｃｅｓｓｉｎｇ  Ｕｎｉｔ）１６０１は、前述の実施の形態において説明した各種のモジュール、すなわち、操作受付モジュール１０５、印刷ジョブ振分モジュール１１０、単独印刷ジョブ用指示モジュール１１５、画像形成装置状況検知モジュール１２０、画像形成装置通信モジュール１３０等の各モジュールの実行シーケンスを記述したコンピュータ・プログラムにしたがった処理を実行する制御部である。
【００８５】
ＲＯＭ（Ｒｅａｄ  Ｏｎｌｙ  Ｍｅｍｏｒｙ）１６０２は、ＣＰＵ１６０１が使用するプログラムや演算パラメータ等を格納する。ＲＡＭ（Ｒａｎｄｏｍ  Ａｃｃｅｓｓ  Ｍｅｍｏｒｙ）１６０３は、ＣＰＵ１６０１の実行において使用するプログラムや、その実行において適宜変化するパラメータ等を格納する。これらはＣＰＵバス等から構成されるホストバス１６０４により相互に接続されている。
【００８６】
ホストバス１６０４は、ブリッジ１６０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス１６０６に接続されている。
【００８７】
キーボード１６０８、マウス等のポインティングデバイス１６０９は、操作者により操作されるデバイスである。ディスプレイ１６１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス１６０９とディスプレイ１６１０の両方の機能を備えているタッチスクリーン等であってもよい。その場合、キーボードの機能の実現について、キーボード１６０８のように物理的に接続しなくても、画面（タッチスクリーン）上にソフトウェアでキーボード（いわゆるソフトウェアキーボード、スクリーンキーボード等ともいわれる）を描画して、キーボードの機能を実現するようにしてもよい。
【００８８】
ＨＤＤ（Ｈａｒｄ  Ｄｉｓｋ  Ｄｒｉｖｅ）１６１１は、ハードディスク（フラッシュ・メモリ等であってもよい）を内蔵し、ハードディスクを駆動し、ＣＰＵ１６０１によって実行するプログラムや情報を記録又は再生させる。ハードディスクには、グループ印刷ジョブテーブル６００、グループ印刷ジョブテーブル７００、印刷ジョブテーブル８００、印刷装置テーブル９００、印刷ジョブ対応テーブル１０００、印刷装置状況テーブル１１００、操作方法テーブル１２００等が格納される。さらに、その他の各種データ、各種コンピュータ・プログラム等が格納される。
【００８９】
ドライブ１６１２は、装着されている磁気ディスク、光ディスク、光磁気ディスク、又は半導体メモリ等のリムーバブル記録媒体１６１３に記録されているデータ又はプログラムを読み出して、そのデータ又はプログラムを、インタフェース１６０７、外部バス１６０６、ブリッジ１６０５、及びホストバス１６０４を介して接続されているＲＡＭ１６０３に供給する。なお、リムーバブル記録媒体１６１３も、データ記録領域として利用可能である。
【００９０】
接続ポート１６１４は、外部接続機器１６１５を接続するポートであり、ＵＳＢ、ＩＥＥＥ１３９４等の接続部を持つ。接続ポート１６１４は、インタフェース１６０７、及び外部バス１６０６、ブリッジ１６０５、ホストバス１６０４等を介してＣＰＵ１６０１等に接続されている。通信部１６１６は、通信回線に接続され、外部とのデータ通信処理を実行する。データ読み取り部１６１７は、例えばスキャナーであり、ドキュメントの読み取り処理を実行する。データ出力部１６１８は、例えばプリンターであり、ドキュメントデータの出力処理を実行する。
【００９１】
なお、図１６に示す情報処理装置１００のハードウェア構成は、１つの構成例を示すものであり、本実施の形態は、図１６に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１６に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンター、複合機（スキャナ、プリンター、複写機、ファックス等のいずれか２つ以上の機能を有している画像処理装置）などに組み込まれていてもよい。
【００９２】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００９３】
１００…情報処理装置
１０５…操作受付モジュール
１１０…印刷ジョブ振分モジュール
１１５…単独印刷ジョブ用指示モジュール
１２０…画像形成装置状況検知モジュール
１２５…グループ印刷ジョブ用指示モジュール
１３０…画像形成装置通信モジュール
１５０…画像形成装置
２１０…ユーザー端末
２９０…通信回線
【図１】
2019096172.tif 000003
【図２】
2019096172.tif 000004
【図３】
2019096172.tif 000005
【図４】
2019096172.tif 000006
【図５】
2019096172.tif 000007
【図６】
2019096172.tif 000008
【図７】
2019096172.tif 000009
【図８】
2019096172.tif 000010
【図９】
2019096172.tif 000011
【図１０】
2019096172.tif 000012
【図１１】
2019096172.tif 000013
【図１２】
2019096172.tif 000014
【図１３】
2019096172.tif 000015
【図１４】
2019096172.tif 000016
【図１５】
2019096172.tif 000017
【図１６】
2019096172.tif 000018